(57)【要約】      （修正有）【課題】良好な不正開封防止効果が得られ、組み立てや再封の操作も容易な不正開封防止機能付き包装箱を提供する。【解決手段】不正開封防止機能付き包装箱は、第一の側面板２０の一端部に延設された蓋片４２と、蓋片４２の先端部に差し込み用折罫線４８を介して延設された差し込みフラップ４６とを備える。差し込み用折罫線４８が途中で中断され、差し込みフラップ４６の内側に、差し込み用折罫線４８の中断された部分と切り込み線５０とで囲まれた突片５２が形成される。切り込み線５０は、差し込みフラップ４６を差し込み用折罫線４８で折り曲げる操作が行われた時、突片５２が差し込みフラップ４６から自動的に抜け出して蓋片４２と面一な方向に突出するように設けられる。突片５２は、組み立て状態で第二の側面板２４の外面側に重なり、封緘テープを、蓋片４２、突片５２及び第二の側面板２４に順に跨がって貼着できる。【選択図】図２
0003235354.tif 000002
【実用新案登録請求の範囲】
【請求項１】
筒体を形成する複数の側面板と、前記複数の側面板の中の１つである第一の側面板の一端部に延設され、前記筒体の一端部を塞ぐ蓋片と、前記蓋片の先端部に差し込み用折罫線を介して延設され、前記第一の側面板に対向する第二の側面板の内面側に差し込まれる差し込みフラップとを備え、封緘テープが前記蓋片及び前記第二の側面板に跨って貼着されることによって前記蓋片が閉鎖状態に固定される箱体において、
前記差し込み用折罫線が途中で中断され、前記差し込みフラップの内側に、前記差し込み用折罫線の中断された部分と切り込み線とで囲まれた突片が形成され、
前記切り込み線は、前記差し込みフラップを前記差し込み用折罫線で折り曲げる操作が行われた時、前記突片が前記差し込みフラップから自動的に抜け出して前記蓋片と面一な方向に突出するように設けられ、
前記突片は、前記差し込みフラップを前記第二の側面板の内面側に差し込んで、前記突片を前記第二の側面板の外面側に倒す操作が行われた時、前記突片が前記第二の側面板の外面側に重なり、前記封緘テープを、前記蓋片、前記突片及び前記第二の側面板に順に跨がって貼着できるように設けられていることを特徴とする不正開封防止機能付き包装箱。
【請求項２】
前記切り込み線は、２つの角部が円弧状に面取りされた略コの字形の第一切り込み部と、前記２つの角部から外向きに各々延びる一対の第二切り込み部とで構成される請求項１記載の不正開封防止機能付き包装箱。
【請求項３】
前記切り込み線は、前記第一及び第二切り込み部と、前記２つの角部の間の中央部から外向きに延びる第三切り込み部とで構成される請求項２記載の不正開封防止機能付き包装箱。
【請求項４】
前記差し込み用折罫線の中断された部分に、前記突片を前記第二の側面板の外面側に重なるように倒す操作を容易にするための補助折罫線が設けられている請求項１乃至３のいずれか記載の不正開封防止機能付き包装箱。
【請求項５】
前記第二の側面板には、前記第二の側面板の中の前記封緘テープが貼着された部分を、その他の部分から分離させるための開封用破断線が設けられている請求項１乃至４のいずれか記載の不正開封防止機能付き包装箱。
【考案の詳細な説明】
【技術分野】
【０００１】
本考案は、封緘テープによって閉鎖状態に固定された蓋片が不正に開封されるのを防止する構造を備えた不正開封防止機能付き包装箱に関する。
【背景技術】
【０００２】
従来、例えば特許文献１に開示されているように、背面板上端に蓋板及び差し込み片を順に連接して成る上面解放状の紙箱であって、差し込み片が、蓋片の先端部のおよそ中央部に折り目を介して下方に折り曲げられた中央部舌片と、中央部舌片を左右から挟むように配置された２つの挿入片とに分割されている封緘用紙箱があった。蓋板を閉鎖する時は、２つの挿入片が正面板の内面側に挿入され、中央部舌片が正面板の外面に重なり、封緘テープが蓋板、中央舌片及び正面板に順に跨るように貼着され、蓋板が閉鎖状態に固定される。
【０００３】
差し込み片が分割されていない普通の紙箱の場合、蓋板を閉鎖する時は、蓋板を倒し、差し込み片を正面板の内面側に差し込んで係止させた後、封緘テープを蓋板及び正面板に跨がるように貼着する。つまり、組み立て状態で、蓋板と正面板との隙間に封緘テープが張架される形になる。そのため、不正開封しようとする者は、蓋板と正面板との隙間にカッター刃等を差し込んで慎重に封緘テープを切断すれば、箱体に痕跡（キズや変形）を残さずに開封することができた。そして、そのまま蓋板を閉じられると、外観上、開封されたことが判別しにくく、さらに、透明なテープや糊で封緘を復元することも可能であった。
【０００４】
これに対して、特許文献１の封緘用紙箱の場合、蓋板を閉鎖する時、蓋板を倒し、２つの挿入片を正面板の内側へ差し込んで係止させた後、中央部舌片を正面板の外側に重ね、封緘テープを蓋板、中央舌片及び正面板に順に跨るように貼着する。つまり、組み立て状態で、蓋板と正面板との隙間に、封緘テープ及び中央部舌片が互いに重なって張架される形になる。そのため、不正開封しようとする者がカッター刃で封緘テープを切断しようとすると、中央部舌片も一緒に切り離されたり、中央部舌片の表面にキズが残ったりする。したがって、外観上、不正に開封されたことを容易に判別することができ、良好な不正開封防止効果が得られる。
【先行技術文献】
【特許文献】
【０００５】
【特許文献１】実用新案登録第３０１８５５２号公報
【考案の概要】
【考案が解決しようとする課題】
【０００６】
特許文献１の封緘用紙箱は、差し込み片の、正面板の内側に差し込まれる２つの挿入片が左右に離れて配置されているので、商品等を包装する作業者が紙箱を組み立てて蓋板を閉鎖する時、２つの挿入片を正面板の内面側に差し込んで係止させる操作がそれほど簡単ではなく、作業に手間取ってしまうという問題がある。また、一般の使用者（特に、お年寄りや小児等）が、封緘用紙箱を開封した後、蓋板を閉じて再封するのに苦労するという問題がある。
【０００７】
本考案は、上記背景技術に鑑みて成されたものであり、良好な不正開封防止効果が得られ、組み立てや再封の操作も容易な不正開封防止機能付き包装箱を提供することを目的とする。
【課題を解決するための手段】
【０００８】
本考案は、筒体を形成する複数の側面板と、前記複数の側面板の中の１つである第一の側面板の一端部に延設され、前記筒体の一端部を塞ぐ蓋片と、前記蓋片の先端部に差し込み用折罫線を介して延設され、前記第一の側面板に対向する第二の側面板の内面側に差し込まれる差し込みフラップとを備え、封緘テープが前記蓋片及び前記第二の側面板に跨って貼着されることによって前記蓋片が閉鎖状態に固定される箱体であって、
前記差し込み用折罫線が途中で中断され、前記差し込みフラップの内側に、前記差し込み用折罫線の中断された部分と切り込み線とで囲まれた突片が形成され、前記切り込み線は、前記差し込みフラップを前記差し込み用折罫線で折り曲げる操作が行われた時、前記突片が前記差し込みフラップから自動的に抜け出して前記蓋片と面一な方向に突出するように設けられ、前記突片は、前記差し込みフラップを前記第二の側面板の内面側に差し込んで、前記突片を前記第二の側面板の外面側に倒す操作が行われた時、前記突片が前記第二の側面板の外面側に重なり、前記封緘テープを、前記蓋片、前記突片及び前記第二の側面板に順に跨がって貼着できるように設けられている不正開封防止機能付き包装箱である。
【０００９】
前記切り込み線は、２つの角部が円弧状に面取りされた略コの字形の第一切り込み部と、前記２つの角部から外向きに各々延びる一対の第二切り込み部とで構成されることが好ましい。あるいは、前記切り込み線は、前記第一及び第二切り込み部と、前記２つの角部の間の中央部から外向きに延びる第三切り込み部とで構成されることが好ましい。
【００１０】
前記差し込み用折罫線の中断された部分に、前記突片を前記第二の側面板の外面側に重なるように倒す操作を容易にするための補助折罫線が設けられていてもよい。また、前記第二の側面板には、前記第二の側面板の中の前記封緘テープが貼着された部分を、その他の部分から分離させるための開封用破断線が設けられていてもよい。
【考案の効果】
【００１１】
本考案の不正開封防止機能付き包装箱は、組み立て状態で、蓋片と第二の側面板との隙間に、封緘テープ及び突片が互いに重なって張架される形になるので、確実な不正開封防止効果が得られる。また、差し込み片が分割されていない普通の形状なので、組み立てや再封の操作も容易である。
【図面の簡単な説明】
【００１２】
【図１】本考案の不正開封防止機能付き包装箱の一実施形態の組み立て状態を示す斜視図（ａ）、底面図（ｂ）である。
【図２】この実施形態の不正開封防止機能付き包装箱を展開した箱体形成片を表面側から見た平面図である。
【図３】この実施形態の不正開封防止機能付き包装箱の蓋片を閉鎖する工程を順に示す斜視図（ａ）、（ｂ）である。
【図４】この実施形態の不正開封防止機能付き包装箱の蓋片を閉鎖する工程を順に示す斜視図（ａ）、（ｂ）である。
【考案を実施するための形態】
【００１３】
以下、この考案の一実施形態について、図面に基づいて説明する。この実施形態の不正開封防止機能付き包装箱１０は、図１（ａ）、（ｂ）に示すように、筒体１２の一端部が蓋部１４で閉鎖され、他端部がワンタッチ型の底部１６で閉鎖された直方体形状の箱体である。蓋部１４は、封緘テープＦＴを貼着することによって閉鎖状態に固定されている。
【００１４】
不正開封防止機能付き包装箱１０は、厚紙等で成る一枚の箱体形成片１８を組み立てることによって形成される。箱体形成片１８は、図２に示すように、互いに平行に連接された４つの側面板２０，２２，２４，２６を有している。側面板２０，２２，２４，２６は、連接方向と直交する幅方向の長さが互いに同じであり、連接方向の長さは、側面２０，２４が長くて互いにほぼ等しく、側面１６，２０が短くて互いにほぼ等しい。側面板２０，２２，２４，２６は、各々折罫線２８，３０，３２で互いに区切られている。以下、側面板２０を第一の側面板２０と称し、側面板２４を第二の側面板２４と称する。
【００１５】
第一の側面板２０の連接方向の端部には、糊付け片３４が短く延設され、折罫線３６で第一の側面板２０と区切られている。糊付け片３４は、筒体１２を形成するため、側面板２６の端部に糊付けされる部分である。また、第二の側面板２４の内側には、図２における上側の端辺２４ａの中央部とＵ字形の開封用破断線開封用破断線３８とで囲まれた開封部４０が設けられている。開封部４０は、蓋部１４を開封する時に指で押し破られる部分である。
【００１６】
４つの側面板２０，２２，２４，２６の、図２における上側の端部には、蓋部１４を形成するための複数の部材が延設され、下側の端部には、底部１６を形成するための複数の部材が延設されている。以下、これらの部材について順に説明する。
【００１７】
第一の側面板２０の上側の端部には矩形の蓋片４２が延設され、折罫線４４で第一の側面板２０と区切られている。蓋片４２の延出長さは、側面板２２，２６の連接方向長さとほぼ同じか僅かに長い。そして、蓋片４２の、折罫線４４とは反対側の端部に、差し込みフラップ４６が延設され、差し込み用折罫線４８で蓋片４２と区切られている。また、差し込み用折罫線４８は途中で中断され、差し込みフラップ４６の内側に、差し込み用折罫線４８の中断された部分と切り込み線５０とで囲まれた突片５２が形成されている。
【００１８】
切り込み線５０は、２つの角部が円弧状に面取りされた略コの字形の第一切り込み部５０(1)と、２つの角部から外向きに延びる一対の第二切り込み部５０(2)と、２つの角部の間の中央部から外向きに延びる第三切り込み部５０(3)とで構成される。
【００１９】
なお、突片５２の、差し込み用折罫線４８の中断された部分には、補助折罫線５４が設けられている。補助折罫線５４は、短尺の切り込み線により形成され、差し込み用折罫線４８よりも折れ曲がりにくい設定になっている。
【００２０】
第一の側面板２０の下側の端部には略長方形の底片５６が延設され、折罫線５８で第一の側面板２０と区切られている。底片５６は、ワンタッチ型の底部１６の一部になる部分で、折罫線５８からの延出長さは、側面板２２．２６の連接方向長さの約3/4である。底片５６の内側には、折罫線２８の端部から約４５度の角度で延びる折罫線６０が設けられ、折罫線６０の外側の略三角形の部分が糊付け部５６ａとなる。また、底片５６の先端中央部を切り欠くことによって、斜めに突出する突部５６ｂが設けられ、突部５６ｂの基端部に折罫線６２が設けられている。以下、底片５６の中の、糊付け部５６ａ及び突部５６ｂ以外の領域を底面部５６ｃと称する。
【００２１】
側面板２２の上側の端部には略半円形のサイドフラップ６４が延設され、湾曲折罫線６６で側面板２２と区切られている。湾曲折罫線６６は、両端部が側面板２２の２つの上端角部に位置し、サイドフラップ６４が延出している方向に膨らむように湾曲している。湾曲の程度は、サイドフラップ６４を側面板２２に対してほぼ直角に折り曲げることができる程度である。
【００２２】
側面板２２の下側の端部には、先端部が幅狭な台形状の底フラップ６８が延設され、折罫線７０で側面板２２と区切られている。底フラップ６８は、ワンタッチ型の底部１６の一部になる部分で、折罫線７０からの延出長さは、第一及び第二の側面板２０，２４の連接方向長さの約2/5である。
【００２３】
第二の側面板２４上側の端部（端辺２４ａ）には何も延設されていない。第二の側面板２４の下側の端部には、上記の底片５６とほぼ同じ形状の底片７２が延設され、折罫線７４で第二の側面板２４と区切られている。底片７２は、ワンタッチ型の底部１６の一部になる部分で、底片５６と同様に、２つの折罫線７６，７８により、糊付け部７２ａ、突部７２ｂ及び底面部７２ｃに区切られている。
【００２４】
側面板２６の上側の端部には、略半円形のサイドフラップ８０が延設され、湾曲折罫線８２で側面板２６と区切られている。サイドフラップ８０及び湾曲折罫線８２は、上記のサイドフラップ６４及び湾曲折罫線８２とほぼ同じ形状である。
【００２５】
側面板２６の下側の端部には、先端部が幅狭な台形状の底フラップ８４が延設され、折罫線８６で側面板２６と区切られている。底フラップ８４は、ワンタッチ型の底部１６の一部になる部分で、上記の底フラップ６８とほぼ同じ形状である。
【００２６】
次に、この実施形態の包装箱１０の組み立て方法の一例について説明する。ここでは、図２に示す箱体形成片１８の各折罫線の折り曲げ方について、表面が凸になる折り方を正折り、裏面が凸になる折り方を逆折りと称する。
【００２７】
まず、底片５６，底フラップ６８，底片７２，底フラップ８４を折罫線５８，７０，７４，８６で各々正折りし、さらに底片５６の糊付け部５６ａ，７２ａを折罫線６０，７６で各々逆折りする。そして、糊付け部５６ａの裏面に糊８８を塗布した後、底片５６を折罫線２８で正折りして底フラップ６８に重ね、糊付け部５６ａを底フラップ６８に糊付けする。
【００２８】
さらに、糊付け部７２ａの裏面と糊付け片３４の表面に糊９０，９２を各々塗布した後、折罫線３２を正折りして底フラップ８４及び側面板２６を底片７２及び糊付け片３４に各々重ね、底フラップ８４を糊付け部７２ａに糊付けし、側面板２６を糊付け片３４に糊付けする。箱体形成片１８は、この折り畳み状態で不正開封防止機能付き包装箱１０の製造工場等から出荷される。
【００２９】
次に、収容物を包装する工場等において、折罫線２８，３０，３２，３６を各々９０度に正折りして四角形の筒体１２を形成する。この時、底片５６の糊付け部５６ａが底フラップ６８に糊付けされ、底片７２の糊付け部７２ａが底フラップ８４に糊付けされているため、二つ折りされていた折罫線５８，７０，７４，８６が自動的に引き起こされてほぼ９０度に開き、底片５６，７２及び底フラップ７０，８４が相互に重なって係止され、図１（ｂ）に示すワンタッチ型の底部１６が形成される。また、この底部１６が形成される過程で、突部５６ｂと突部７２ａが、折罫線６２，７８で折り曲げられながら、互いの表面同士が合わせられて摺動し、最終的に相互にしっかり係合し、底部１６が元の折り畳み状態に戻るのを防止する。
【００３０】
その後、不正開封防止機能付き包装箱１０の中に収容物を入れ、サイドフラップ６４，８０を湾曲折罫線６６，８２で各々９０度に正折りする。この時、サイドフラップ６４，８０は、湾曲折罫線６６，８２の形状に沿って湾曲して折り曲げられて、自己の幅方向の中央部分が緩やかに上向きに膨らむ。
【００３１】
次に、図３（ａ）に示すように、蓋片４２を折罫線４４で９０度近くに正折りしてサイドフラップ６４，８０の上方に倒し、さらに図３（ｂ）に示すように、差し込みフラップ４６を差し込み用折罫線４８で９０度に正折りする操作を行う。差し込みフラップ４６の内側の突片５２は、差し込み用折罫線４８が９０度に正折りされても折れ曲がらず、差し込みフラップ４６から自動的に抜け出して蓋片４２と面一な方向に突出する。
【００３２】
なお、切り込み線５０は切り込み部５０(1)〜５０(3)により構成されるが、突片５２を設けるための主要な部分は第一切り込み部５０(1)であり、第二及び第三切り込み部５０(2)，５０(3)は、差し込み用折罫線４８が９０度に正折りされた時、突片５２が差し込みフラップ４６から円滑に抜け出るようにするために補助的に設けた切り込みである。突片５２の抜け出しやすさは、箱体平成片１８の基材の厚みや突片５２の形状や大きさよって違ってくるので、第二及び第三切り込み部５０(2)，５０(3)の長さは適宜調節すればよく、必要なければ省略することも可能である。
【００３３】
差し込みフラップ４６を９０度に正折りすると、図４（ａ）に示すように、差し込みフラップ４６を第二の側面板２４の内面側に差し込み、蓋片４２で筒体１２の一端部を閉鎖する。蓋片４２は、自己の撓み性により、サイドフラップ６４，８０の、中央部分が上向きに膨らんでいる形状に沿って自己変形し、サイドフラップ６４，８０の上面に隙間なく綺麗に当接する。そして、突片５２は、第二の側面板２４を超えて側方に突出する。
【００３４】
その後、図４（ｂ）に示すように、突片５２を補助折罫線５４で９０度に正折りして開封部４０の外面に重ね、封緘テープＦＴを、蓋片４２、突片５２及び第二の側面板２４の開封部４０に順に跨がるように貼着し、蓋片４２を閉鎖状態に固定する。それで、筒体１２の蓋部１４が形成され、図１（ａ）に示す組み立て状態になる。なお、補助折罫線５４は、突片５２を９０度に正折りする操作を容易にするための折罫線であり、必要なければ省略することができる。
【００３５】
不正開封防止機能付き包装箱１０を正規に開封する時は、開封部４０を指で押して開封用破断線３８を破断させ、開封部４０を第二の側面板２４から分離させる。これで蓋片４２が開閉可能になり、蓋片４２を引き上げた後、サイドフラップ６４，８０を引き上げると、蓋部１４が広く開放し、中の収容物を取り出すことができる。開封部４０は、封緘テープＦＴで蓋片４２に接続されているのでゴミにはならない。
【００３６】
不正開封防止機能付き包装箱１０を開封した後、再封する時は、サイドフラップ６４，８０及び蓋片５２を順に倒し、再び差し込みフラップ４６を第二の側面板２４の内面側に差し込んで係止させる。
【００３７】
以上説明したように、不正開封防止機能付き包装箱１０は、組み立て状態で、蓋片４２と第二の側面板２４との隙間に、封緘テープＦＴ及び突片５２が互いに重なって張架される形になるので、特許文献１の封緘用紙箱と同様に、良好な不正開封防止効果が得られる。また、差し込みフラップ４６は、突片５２が切り込み線５０から抜け出た後も分割されないので、組み立てや再封の操作も容易である。
【００３８】
なお、本考案の不正開封防止機能付き包装箱は、上記実施形態に限定されるものではない。例えば、差し込みフラップの内側に設けられる突片の形状は自由に変更することができる。上記の不正開封防止機能付き包装箱１０の突片５２は、両端角部を円弧状に面取りした幅広の長方形になっているが、例えば、先端縁を半円形に膨出させた形状にしてもよく、同様の作用効果が得られる。また、先端縁を直線又は緩やかな曲線にするのではなく、三角波状、正弦波状あるいは矩形波状のキザギザを付けてもよい。これによって、封緘テープをカッター刃で綺麗に切断するのがより困難になり、不正開封防止効果をさらに向上させることができる。その他、底部の構成は、上記の底部１６のようなワンタッチ型の構成に限定されず、自由に変更することができる。例えば、底部を蓋部と同じ構造にしてもよい。
【符号の説明】
【００３９】
１０  不正開封防止機能付き包装箱
１２  筒体
１４  蓋部
１６  底部
１８  箱体形成片
２０  第一の側面板
２２，２６  側面板
２４  第二の側面板
２４ａ  端辺
３８  開封用破断線
４０  開封部
４２  蓋片
４６  差し込みフラップ
４８  差し込み用折罫線
５０  切り込み線
５０(1)  第一切り込み部
５０(2)  第二切り込み部
５０(3)  第三切り込み部
５２  突片
５４  補助折罫線
ＦＴ  封緘テープ
【図１】
0003235354.tif 000003
【図２】
0003235354.tif 000004
【図３】
0003235354.tif 000005
【図４】
0003235354.tif 000006